(57)【要約】【課題】メイン表示部およびサブ表示部といった二個の表示部を有する携帯通信端末における画像の設計にかかる労力の負担を軽減する。【解決手段】画像イメージ２０ａを画像読出部１２により読み出してメイン表示部１１０に表示させる。また、画像イメージ２０ａを画像処理部１４により縮小、減色などの処理を行ってからサブ表示部１１２に表示させる。画像イメージ２０ａを、メイン表示部１１０とサブ表示部１１２とに分けて別々に作成して、画像記録部２０に記録させておかなくてもよい。よって、画像の設計にかかる労力の負担を軽減できる。【選択図】　図３
2004104659.tif 000002
【特許請求の範囲】
【請求項１】
表示用データを記録する表示用データ記録手段と、
前記表示用データを前記表示用データ記録手段から読み出す表示用データ読出手段と、
前記表示用データ読出手段が読み出した前記表示用データを受けて表示する第一表示手段と、
前記表示用データ読出手段が読み出した前記表示用データを受けて所定の処理を行う表示用データ処理手段と、
前記表示用データ処理手段の処理結果を受けて表示する第二表示手段と、
を備えた携帯情報通信端末。
【請求項２】
請求項１に記載の携帯情報通信端末であって、
前記携帯情報通信端末の動作モードを指定する動作モード指定手段を備え、
前記表示用データ処理手段は、指定された前記動作モードに基づき、前記表示用データの処理を行う、
携帯情報通信端末。
【請求項３】
請求項２に記載の携帯情報通信端末であって、
撮像手段を有し、
前記動作モードは通話状態および撮像状態を含む、
携帯情報通信端末。
【請求項４】
請求項１に記載の携帯情報通信端末であって、
前記第一表示手段の状態を判定する表示状態判定手段と、
前記表示用データ処理手段は、前記表示状態判定手段の判定結果に基づき、前記表示用データの処理を行う、
携帯情報通信端末。
【請求項５】
請求項４に記載の携帯情報通信端末であって、
前記第一表示手段および前記第二表示手段が表裏に設けられた第一本体と、
前記第一本体との間の角度が変えられるように前記第一本体に結合されている第二本体と、
前記表示状態判定手段は、前記第一本体と前記第二本体とが成す角度に応じて、前記第一表示手段の状態を判定する、
携帯情報通信端末。
【請求項６】
請求項１ないし５のいずれか一項に記載の携帯情報通信端末であって、
前記表示用データ処理手段は、前記表示用データの縮小、切出または減色を行う携帯情報通信端末。
【請求項７】
表示用データを記録する表示用データ記録手段と、受けたデータを表示する第一表示手段および第二表示手段とを有する携帯情報通信端末における処理をコンピュータに実行させるためのプログラムであって、
前記表示用データを前記表示用データ記録手段から読み出す表示用データ読出処理と、
前記表示用データ読出手段が読み出した前記表示用データを前記第一表示手段に出力する処理と、
前記表示用データ読出手段が読み出した前記表示用データを受けて所定の処理を行う表示用データ処理と、
前記表示用データ処理の処理結果を前記第二表示手段に出力する処理と、
をコンピュータに実行させるためのプログラム。
【発明の詳細な説明】
【０００１】
【発明の属する技術分野】
本発明は、携帯電話等の携帯情報通信端末におけるメイン表示部およびサブ表示部が表示するデータの生成に関する。
【０００２】
【従来の技術】
近年、携帯電話等の携帯情報通信端末において、折り畳み型のものが広く普及している。折り畳み型の携帯電話は、ＬＣＤ（Ｌｉｑｕｉｄ　Ｃｒｙｓｔａｌ　Ｄｉｓｐｌａｙ）で構成された表示部が設けられた第一の筐体と、操作用のキー（テンキー等）が設けられた第二の筐体とを備える。第一の筐体と第二の筐体とがヒンジにより結合されている。ヒンジを中心にして、第一の筐体と第二の筐体とを回転させると折り畳むことができる。このとき、表示部と操作用のキーとが向かい合い、外から見えなくなる。よって、折り畳んだ場合、表示部を利用することができない（例えば、特許文献１の図１（ａ）および段落番号０００２、０００３を参照）。
【０００３】
そこで、第一の筐体の表示部（「メイン表示部」という）の裏側にサブ表示部を設けることがある（例えば、特許文献１の図１（ｂ）参照）。サブ表示部は、カメラ付き携帯電話のビューファインダとして使用されたり、メールの着信通知の表示用として使用されるなど、多彩な用途に使用される。
【０００４】
メイン表示部に表示される画像等のデータ（「メイン表示部用データ」という）およびサブ表示部に表示される画像等のデータ（「サブ表示部用データ」という）は、携帯電話に内蔵されるＣＰＵ（Ｃｅｎｔｒａｌ　Ｐｒｏｃｅｓｓｉｎｇ　Ｕｎｉｔ）がＲＡＭ（Ｒａｎｄｏｍ　Ａｃｃｅｓｓ　Ｍｅｍｏｒｙ）に別々に生成する。そして、メイン表示部用データ（サブ表示部用データ）はＣＰＵによりＲＡＭから読み出されメイン表示部（サブ表示部）に出力される。メイン表示部（サブ表示部）はメイン表示部用データ（サブ表示部用データ）を表示する。
【０００５】
特許文献１にも同様な技術が開示されている。すなわち、制御回路基板が第１表示領域Ａ（メイン表示部に対応）に表示する表示パターンと第２表示領域Ｂ（サブ表示部に対応）に表示する表示パターンとを別々に生成して（特許文献１、図６（ａ）（ｂ）参照）、液晶表示ドライバーへ転送する（特許文献１の段落番号００１８を参照）。
【０００６】
【特許文献１】
特開２００１−１８６２２７号公報（図１（ａ）（ｂ）、図６（ａ）（ｂ）、段落番号０００２、０００３、００１８）
【発明が解決しようとする課題】
しかしながら、メイン表示部用データおよびサブ表示部用データを別々に生成させるためには、携帯電話のソフトウェアを開発する際に、メイン表示部用データおよびサブ表示部用データの設計を並行して行わなければならない。よって、設計の労力が大きい。
【０００７】
そこで、本発明は、メイン表示部およびサブ表示部といった二個の表示部を有する携帯通信端末における表示用データの設計にかかる労力の負担を軽減することを課題とする。
【０００８】
【課題を解決するための手段】
本発明は携帯情報通信端末に関する。本発明に係る携帯情報通信端末は、表示用データ記録手段、表示用データ読出手段、第一表示手段、表示用データ処理手段、第二表示手段を備える。
【０００９】
表示用データ記録手段は、表示用データを記録する。表示用データ読出手段は、表示用データを表示用データ記録手段から読み出す。第一表示手段は、表示用データ読出手段が読み出した表示用データを受けて表示する。表示用データ処理手段は、表示用データ読出手段が読み出した表示用データを受けて所定の処理を行う。第二表示手段は、表示用データ処理手段の処理結果を受けて表示する。
【００１０】
上記のように構成された発明によれば、表示用データを、第一表示手段と第二表示手段とに分けて別々に作成して、表示用データ記録手段に記録させておかなくてもよい。よって、表示用データの設計にかかる労力の負担を軽減できる。
【００１１】
【発明の実施の形態】
以下、本発明の実施の形態を図面を参照して説明する。
【００１２】
第一の実施形態
図１は、本発明の第一の実施形態にかかる携帯電話１００の正面図（図１（ａ））、背面図（図１（ｂ））、側面図（図１（ｃ））、折り畳み時の背面図（図１（ｄ））である。
【００１３】
携帯電話１００は、第一本体１００ａ、第二本体１００ｂ、操作部１０８、メイン表示部１１０、サブ表示部１１２、アンテナ１３２、ヒンジ１４０を備える。
【００１４】
第一本体１００ａは、表面にメイン表示部１１０（図１（ａ）参照）を、裏面にサブ表示部１１２（図１（ｂ）参照）を有する。第二本体１００ｂは、表面に操作部１０８を有する。操作部１０８は、電話番号等を打ち込むこと等に使用する。操作部１０８は、例えば、テンキーである。メイン表示部１１０およびサブ表示部１１２は文字および画像などを表示するディスプレイであり、例えばＬＣＤ（Ｌｉｑｕｉｄ　Ｃｒｙｓｔａｌ　Ｄｉｓｐｌａｙ）で構成される。なお、サブ表示部１１２はメイン表示部１１０と横幅はほぼ同じであり、縦の長さが１／４程度である。アンテナ１３２は、携帯電話１００の通信用のアンテナである。ヒンジ１４０は、第一本体１００ａと第二本体１００ｂとを結合する。これにより、第一本体１００ａと第二本体１００ｂとのなす角度は１８０度（図１（ｃ）参照）から０度（図１（ｄ）参照）まで変更可能である。第一本体１００ａと第二本体１００ｂとのなす角度が０度になると、第一本体１００ａと第二本体１００ｂとが向かい合う。このとき、メイン表示部１１０が見えなくなり、サブ表示部１１２が見えるようになる（図１（ｄ）参照）。
【００１５】
図２に、第一の実施形態にかかる携帯電話１００のハードウェアブロック図を示す。携帯電話１００は、制御部１０２、メモリ１０６、操作部１０８、メイン表示部１１０、サブ表示部１１２、ＤＳＰ（Ｄｉｇｉｔａｌ　Ｓｉｇｎａｌ　Ｐｒｏｃｅｓｓｏｒ）１２０、スピーカ１２２ａ、ｂ、マイク１２４、受信部（ＲＸ）１２６、送信部（ＴＸ）１２８、デュプレクサ１３０、アンテナ１３２を備える。
【００１６】
制御部１０２は、メモリ１０６からデータおよびプログラムを読出し、メモリ１０６にデータおよびプログラムを書き込み、操作部１０８からユーザの操作内容を取得する。さらに、制御部１０２は、メイン表示部１１０およびサブ表示部１１２に表示内容を書き込む。そして、制御部１０２は、ＤＳＰ１２０とデータの受け渡しを行なう。制御部１０２は、メモリ１０６に記録されたデータおよびプログラムに基づき作動する。
【００１７】
メモリ１０６は、データおよびプログラムを記録する。操作部１０８は、ユーザの操作を受け付ける。メイン表示部１１０およびサブ表示部１１２は、書き込まれた表示内容を表示する。
【００１８】
ＤＳＰ１２０は制御部１０２とデータの受け渡しを行なう。また、ＤＳＰ１２０はスピーカ１２２ａに音声出力の内容を出力し、マイク１２４からユーザの音声の信号を取得する。ＤＳＰ１２０は、さらに制御部１０２から受けたデータおよびマイク１２４から取得した音声の信号を送信部（ＴＸ）１２８に送り、受信部（ＲＸ）１２６から受けた受信信号をスピーカ１２２ａおよび制御部１０２に送る。
【００１９】
スピーカ１２２ａはＤＳＰ１２０から受けた受信信号を音声として出力する。スピーカ１２２ｂはその他の用途（例えば、ビープ音、着信音を鳴らす）のためのスピーカであり、ＤＳＰ１２０により制御される。マイク１２４は、ユーザの音声を取得する。
【００２０】
受信部（ＲＸ）１２６は、デュプレクサ１３０から出力された受信信号をＤＳＰ１２０に出力する。送信部（ＴＸ）１２８は、ＤＳＰ１２０から出力された送信信号をデュプレクサ１３０に出力する。デュプレクサ１３０は、アンテナ１３２を介して受信した受信信号を受信部（ＲＸ）１２６に、送信部（ＴＸ）１２８から出力された送信信号をアンテナ１３２に出力する。アンテナ１３２は、送信信号を送信し、受信信号を受信するためのアンテナである。なお、送信信号および受信信号は例えば通話および電子メールに関するものである。
【００２１】
図３は、第一の実施形態にかかる携帯電話１００の機能ブロック図である。携帯電話１００は、画像生成部１０、画像読出部（表示用データ読出手段）１２、画像処理部（表示用データ処理手段）１４、画像記録部（表示用データ記録手段）２０、メイン表示部（第一表示手段）１１０、サブ表示部（第二表示手段）１１２を備える。
【００２２】
画像生成部１０は、メイン表示部１１０およびサブ表示部１１２に表示するための画像を生成する。なお、メイン表示部１１０およびサブ表示部１１２に表示するものは画像に限らず文字等でもよい。よって、画像生成部１０は、メイン表示部１１０およびサブ表示部１１２に表示するための文字等をも生成する。すなわち、画像生成部１０は、メイン表示部１１０およびサブ表示部１１２に表示するための表示用データ（例えば、画像、文字など）を生成する。以後、特にことわらない限り、表示用データの意味で「画像」という語を使用する。
【００２３】
画像記録部（表示用データ記録手段）２０は、画像生成部１０が生成した画像を記録する。画像記録部２０が記録する画像を画像イメージ２０ａという。ここで重要な事は、メイン表示部１１０の表示用およびサブ表示部１１２の表示用として画像イメージ２０ａを用いるということである。メイン表示部１１０の表示用の画像イメージと、サブ表示部１１２の表示用の画像イメージとが別々に生成され、記録されているわけではない。なお、画像記録部２０は、メモリ１０６の一部である。
【００２４】
画像読出部（表示用データ読出手段）１２は、画像イメージ２０ａを読み出す。そして、メイン表示部１１０および画像処理部１４に送る。
【００２５】
画像処理部（表示用データ処理手段）１４は、画像読出部１２から画像イメージ２０ａを受け、所定の画像処理を行う。処理内容の一例としては、画像イメージ２０ａの縮小、所定の領域の切出し、減色がある。なお、減色は、メイン表示部１１０が対応する色数がサブ表示部１１２が対応する色数よりも多い場合に効果的である。また、処理内容の一例としては、画像イメージ２０ａをそのまま出力するということも考えられる。
【００２６】
なお、画像生成部１０、画像読出部１２および画像処理部１４は、制御部１０２が果たす機能である。具体的には、制御部１０２がメモリ１０６からプログラムを読み出し、そのプログラムに基づき作動して、画像読出部１２および画像処理部１４の機能を果たす。しかし、画像読出部１２および画像処理部１４は、制御部１０２とは別にコントローラＬＳＩを携帯電話１００に実装して、コントローラＬＳＩに画像読出部１２および画像処理部１４の機能を遂行させることも可能である。
【００２７】
メイン表示部（第一表示手段）１１０は、画像読出部１２から画像イメージ２０ａを受け、画像イメージ２０ａを表示する。
【００２８】
サブ表示部（第二表示手段）１１２は、画像処理部１４の処理結果を受けて表示する。
【００２９】
次に、第一の実施形態の動作を説明する。
【００３０】
まず、画像イメージ２０ａが画像生成部１０により生成され、画像記録部２０に記録される。画像イメージ２０ａは画像読出部１２により読み出され、メイン表示部１１０に表示される。しかも、画像読出部１２により読み出された画像イメージ２０ａは画像処理部１４により処理される。処理結果はサブ表示部１１２に表示される。
【００３１】
第一の実施形態によれば、画像イメージ２０ａを、メイン表示部１１０とサブ表示部１１２とに分けて別々に生成して、画像記録部２０に記録させておかなくてもよい。よって、画像の設計にかかる労力の負担を軽減できる。さらに、画像生成部１０の処理量も軽減できる。しかも、画像記録部２０に必要とされる容量が削減できる。また、画像読出部１２も、メイン表示部１１０とサブ表示部１１２とに分けて別々に画像を読み出さなくてよいので、画像記録部２０へのアクセス頻度を低減できる。
【００３２】
なお、メイン表示部１１０に表示させたい内容とサブ表示部１１２に表示させたい内容とは、近年、ほぼ同等の内容となってきている。そこで、上記のように、画像イメージ２０ａをメイン表示部１１０とサブ表示部１１２とで共用するようにしても問題は無い。
【００３３】
第二の実施形態
第二の実施形態は、携帯電話が複数の動作モードを有し、この動作モードに基づき画像処理が行われる点が第一の実施形態と異なる。
【００３４】
図４は、本発明の第二の実施形態にかかる携帯通信端末１の正面図（図４（ａ））、背面図（図４（ｂ））である。ただし、背面図（図４（ｂ））においては、携帯電話１００の上部および通話ユニット２００は図示省略してある。
【００３５】
携帯電話１００は、第一本体１００ａ、第二本体１００ｂ、操作部１０８、メイン表示部１１０、近距離通信器１２９、アンテナ１３２、ヒンジ１４０、カメラレンズ１５１を備える。また、通話ユニット２００は、サブ表示部２１２、イヤホン２２２ｃ、マイク２２４、近距離通信器２２９を備える。なお、携帯電話１００と通話ユニット２００とが一体となって、携帯通信端末１を構成している。以下、第一の実施形態と同様な部分は同一の番号を付して説明を省略する。
【００３６】
第一本体１００ａ、第二本体１００ｂ、操作部１０８、メイン表示部１１０、アンテナ１３２、ヒンジ１４０は第一の実施形態と同様である。ただし、第一本体１００ａの裏面にはサブ表示部を設けなくてもよい。
【００３７】
近距離通信器１２９は、通話ユニット２００と通信を行うための通信器である。例えば、Ｂｌｕｅｔｏｏｔｈの規格に従ったものである。
【００３８】
カメラレンズ１５１は、図４（ｂ）に示すように、第二本体１００ｂの裏面に設けられている。カメラレンズ１５１は撮像のために使用される。
【００３９】
サブ表示部２１２は、細長い棒状のもので、近距離通信器２２９およびマイク２２４に接続されている。イヤホン２２２ｃは、マイク２２４に接続されている。マイク２２４は、サブ表示部２１２およびイヤホン２２２ｃに接続されている。近距離通信器２２９は、携帯電話１００と通信を行うための通信器である。例えば、Ｂｌｕｅｔｏｏｔｈの規格に従ったものである。
【００４０】
図５に、第二の実施形態にかかる携帯通信端末１のハードウェアブロック図を示す。携帯電話１００は、制御部１０２、メモリ１０６、操作部１０８、メイン表示部１１０、ＤＳＰ（Ｄｉｇｉｔａｌ　Ｓｉｇｎａｌ　Ｐｒｏｃｅｓｓｏｒ）１２０、スピーカ１２２ａ、ｂ、マイク１２４、受信部（ＲＸ）１２６、送信部（ＴＸ）１２８、近距離通信器１２９、デュプレクサ１３０、アンテナ１３２、開閉検知部１４２、撮像部１５０を備える。また、通話ユニット２００は、制御部２０２、メモリ２０６、サブ表示部２１２、ＤＳＰ２２０、イヤホン２２２ｃ、マイク２２４、近距離通信器２２９を備える。
【００４１】
制御部１０２は、メモリ１０６からデータおよびプログラムを読出し、メモリ１０６にデータおよびプログラムを書き込み、操作部１０８からユーザの操作内容および動作モードの指定を取得する。さらに、制御部１０２は、開閉検知部１４２から、携帯電話が開いているか閉じているかといった状態を取得する。しかも、制御部１０２は撮像部１５０から撮像データを受ける。さらに、制御部１０２はメイン表示部１１０に表示内容を書き込む。制御部１０２は、サブ表示部２１２に表示させる画像等の表示用データをＤＳＰ１２０に送る。制御部１０２は、メモリ１０６に記録されたデータおよびプログラムに基づき作動する。
【００４２】
メモリ１０６およびメイン表示部１１０は、第一の実施形態と同様である。操作部１０８は、ユーザの操作を受け付ける。さらに、操作部１０８は、動作モードの指定に用いられる。
【００４３】
ＤＳＰ１２０、スピーカ１２２ａ、ｂ、マイク１２４、受信部（ＲＸ）１２６、送信部（ＴＸ）１２８、デュプレクサ１３０、アンテナ１３２は第一の実施形態と同様である。ただし、ＤＳＰ１２０は、近距離通信器１２９を介して、通話ユニット２００と通信を行なう。すなわち、イヤホン２２２ｃに出力させる音声出力の内容を送信し、マイク２２４が受けるユーザの音声の信号を受信し、サブ表示部２１２に表示させる画像等の表示用データを送信する。
【００４４】
近距離通信器１２９は、ＤＳＰ１２０からデータを受けて通話ユニット２００に送信する。さらに、近距離通信器１２９は、通話ユニット２００からデータを受信して、ＤＳＰ１２０に送る。
【００４５】
開閉検知部１４２は、携帯電話が開いているか閉じているかといった状態を検知する。
【００４６】
撮像部１５０は撮像を行う。撮像部１５０は、カメラレンズ１５１、ＣＣＤ（Ｃｈａｒｇｅ　Ｃｏｕｐｌｅｄ　Ｄｅｖｉｃｅ）１５２、Ａ／Ｄ変換器１５４を有する。カメラレンズ１５１は、撮像対象の反射光などを受けて出力する。ＣＣＤ１５２は、カメラレンズ１５１の出力を受け、アナログ電気信号に変換する。Ａ／Ｄ変換器１５４は、アナログ電気信号を受けてデジタル信号に変換する。
【００４７】
制御部２０２は、メモリ２０６からデータおよびプログラムを読出し、メモリ２０６にデータおよびプログラムを書き込む。さらに、制御部２０２は、サブ表示部２１２に表示内容を書き込む。メモリ２０６は、データおよびプログラムを記録する。サブ表示部２１２は、書き込まれた表示内容を表示する。
【００４８】
ＤＳＰ２２０は制御部２０２とデータの受け渡しを行なう。また、ＤＳＰ２２０はイヤホン２２２ｃに音声出力の内容を出力し、マイク２２４からユーザの音声の信号を取得する。ＤＳＰ１２０は、さらに制御部２０２から受けたデータおよびマイク２２４から取得した音声の信号を近距離通信器２２９に送り、近距離通信器２２９から受けた受信信号をイヤホン２２２ｃおよび制御部１０２に送る。
【００４９】
イヤホン２２２ｃはＤＳＰ２２０から受けた受信信号を音声として出力する。マイク２２４は、ユーザの音声を取得する。
【００５０】
近距離通信器２２９は、送信信号を送信し、受信信号を受信するためのアンテナである。
【００５１】
図６は、第二の実施形態にかかる携帯電話１００の機能ブロック図である。携帯電話１００は、画像生成部１０、画像読出部（表示用データ読出手段）１２、画像処理部１４、画像記録部（表示用データ記録手段）２０、モード指定部１０８ａ、開閉検知部（表示状態判定手段）１４２、メイン表示部（第一表示手段）１１０、サブ表示部（第二表示手段）１１２を備える。
【００５２】
画像生成部１０、画像読出部１２、画像記録部２０、メイン表示部１１０は、第一の実施形態と同様である。サブ表示部２１２は、第一の実施形態のサブ表示部１１２と同様である。
【００５３】
開閉検知部（表示状態判定手段）１４２は、メイン表示部１１０の状態を、第一本体１００ａと第二本体１００ｂとのなす角度に基づき検知する。例えば、第一本体１００ａと第二本体１００ｂとのなす角度が所定の角度以下の場合は「閉」（図１（ｄ）参照）、所定の角度を超えれば「開」（図１（ｃ）参照）となる。「閉」の場合はメイン表示部１１０が見えないという状態であり、「開」の場合はメイン表示部１１０が見えるという状態である。
【００５４】
モード指定部１０８ａは、携帯通信端末１の動作モードを指定する。動作モードには、例えばカメラモード（撮像状態）、通話モード（通話状態）、通常モードがある。カメラモードは、撮像部１５０を使用して撮像を行うモードである。通話モードは、電話による通話を行うモードである。通常モードは、カメラモードおよび通話モード以外の状態をいう。モード指定部１０８ａは、操作部１０８の一部である。
【００５５】
画像処理部１４は、画像読出部１２から画像イメージ２０ａを受け、指定された動作モードおよび開閉検知部１４２の判定結果に基づき、画像イメージ２０ａの画像処理を行う。画像処理部１４が行う処理の一例を下記の表に示す。なお、下記の表は一例であり、画像イメージ２０ａの減色または画像イメージ２０ａをそのまま出力するということも考えられる。
【００５６】
【表１】
2004104659.tif 000003
ただし、ｏｆｆとなっているのは、サブ表示部２１２に何も表示しないことを意味する。携帯電話１００が開いている場合は、メイン表示部１１０が見えるので、サブ表示部２１２に何も表示しなくて良い場合が多い。しかし、カメラモードにおいて自身を撮影する場合は、メイン表示部１１０が裏になってしまい見えないことがあるため、サブ表示部２１２に、画像イメージ２０ａの所定の領域を切出したものを表示させる。なお、携帯電話１００が閉じている場合は、メイン表示部１１０が見えないので、サブ表示部２１２を利用して何らかの表示を行う。
【００５７】
次に、第二の実施形態の動作を説明する。
【００５８】
まず、画像イメージ２０ａが画像生成部１０により生成され、画像記録部２０に記録される。画像イメージ２０ａは画像読出部１２により読み出され、メイン表示部１１０に表示される。しかも、画像読出部１２により読み出された画像イメージ２０ａは画像処理部１４により処理される。画像処理部１４による処理は、指定された動作モードおよび開閉検知部１４２の判定結果に基づき、決定される。処理結果はサブ表示部１１２に表示される。
【００５９】
第二の実施形態によれば、第一の実施形態と同様な効果を奏する。しかも、携帯通信端末１の動作モードおよび携帯電話１００の開閉に応じた、より適切な画像処理を画像処理部１４により行い、サブ表示部２１２に表示させることができる。
【００６０】
また、上記の実施形態は、以下のようにして実現できる。ＣＰＵ、ハードディスク、フラッシュメモリ、メディア（フロッピーディスク、ＣＤ−ＲＯＭ、メモリスティックなど）読み取り装置を備えたコンピュータのメディア読み取り装置に、上記の各部分（例えば、画像生成部１０、画像読出部１２、画像処理部１４など）を実現するプログラムを記録したメディアを読み取らせて、ハードディスク、フラッシュメモリなどにインストールする。このような方法でも、上記の機能を実現できる。
【図面の簡単な説明】
【図１】本発明の第一の実施形態にかかる携帯電話１００の正面図（図１（ａ））、背面図（図１（ｂ））、側面図（図１（ｃ））、折り畳み時の背面図（図１（ｄ））である。
【図２】本発明の第一の実施形態にかかる携帯電話１００のハードウェアブロック図である。
【図３】本発明の第一の実施形態にかかる携帯電話１００の機能ブロック図である。
【図４】本発明の第二の実施形態にかかる携帯通信端末１の正面図（図４（ａ））、背面図（図４（ｂ））である。
【図５】本発明の第二の実施形態にかかる携帯通信端末１のハードウェアブロック図である。
【図６】本発明の第二の実施形態にかかる携帯電話１００の機能ブロック図である。
【符号の説明】
１０　画像生成部
１２　画像読出部（表示用データ読出手段）
１４　画像処理部（表示用データ処理手段）
２０　画像記録部（表示用データ記録手段）
１０８ａ　モード指定部
１１０　メイン表示部（第一表示手段）
１１２　サブ表示部（第二表示手段）
１４２　開閉検知部（表示状態判定手段）
【図１】
2004104659.tif 000004
【図２】
2004104659.tif 000005
【図３】
2004104659.tif 000006
【図４】
2004104659.tif 000007
【図５】
2004104659.tif 000008
【図６】
2004104659.tif 000009